(57)【特許請求の範囲】
【請求項１】
音声入力を増幅して変調し、変調出力を増幅した後、無線信号として送信するもので、
電源ＯＦＦの状態Ａ、電源ＯＮかつ変調ＯＦＦの状態Ｂ及び電源ＯＮかつ変調ＯＮの状態Ｃのうちの任意の状態Ａ、Ｂ又はＣに切替自在のスイッチと、
前記電源ＯＦＦの状態Ａでは第１，第２発光素子を共に消灯させておき、電源ＯＮかつ変調ＯＦＦの状態Ｂでは第１発光素子のみを点灯させてスタンバイ状態を表示し、電源ＯＮかつ変調ＯＮの状態Ｃでは前記第１発光素子を消灯させると共に第２発光素子を点灯させて送信状態を表示する電源／変調状態インジケータと、
前記電源ＯＮかつ変調ＯＮの状態Ｃで変調入力レベルが所定値を超えた場合に発光素子を点灯させて過大入力レベル状態を表示するピークインジケータとを備えてなる無線送信機器において、
前記ピークインジケータは、前記電源ＯＮかつ変調ＯＮの状態Ｃで変調入力レベルが所定値を超えた場合に、前記第１発光素子を点灯させ、その第１発光素子を、過大入力レベル状態を表示する発光素子として兼用させることを特徴とする無線送信機器。
【発明の詳細な説明】
【０００１】
【発明の属する技術分野】
本発明は、音声入力レベルの監視に用いられるピークインジケータを低コスト、省スペースで組込み可能な無線送信機器に関するものである。
【０００２】
【従来の技術】
ワイヤレスマイク、トランシーバあるいは無線送信機等、少なくとも音声信号の無線送信機能を有する機器（無線送信機器）や、テープレコーダのような録音機能を備えた音響機器等においては、ピークインジケータを備えるものが多い。このピークインジケータは、現在の音声入力レベルが所定の値に対してどの程度の大きさにあるか視覚的に表示するもので、主に音声入力レベルの監視に用いられる。
【０００３】
各種機器中、ワイヤレスマイク等の無線送信機器においては、ひとたび送信側で信号が歪んでしまうと、受信出力に歪が生じてしまう。そのため、送信側での歪発生の予防に上記ピークインジケータは特に有効である。
【０００４】
このようなピークインジケータには、ＶＵメータを用いたものや複数の発光素子を直線状に並べて入力レベルを棒グラフ状に表示するもののように、入力レベルの変化を連続的ないし動的に表示するものがある。
また１つの発光源を用い、入力レベルが単に所定値を超えたか否かをその発光源の点消灯で表示するものがある。この場合、入力レベルが所定値を超え始めた際に発光量が若干増えて行くこともあるが、基本的には閾値（上記所定値）超えて点灯することで過大入力レベル状態になったことを表示する。
【０００５】
前者は高級機や据置機に多く採用され、後者は簡易機器や携帯用機器に多く採用されている。
図２に、後者のピークインジケータを備えた従来の無線送信機器、ここではワイヤレスマイクの全体構成を示す。
【０００６】
ワイヤレスマイクは、基本的には音声入力を増幅して変調し、変調出力を増幅した後、無線信号として送信し、受信機器側から拡声出力させるものである。
ここでは、図示するようにマイクロホン２１、入力調整用可変抵抗２２、ＡＦアンプ（可聴周波増幅器）２３、コンプレッサ回路２４、プリエンファシス回路２５、変調回路２６、ＲＦアンプ（ラジオ周波増幅器）２７、アンテナ２８及び切替スイッチＳＷを備えてなる。
上記切替スイッチＳＷは、電源ＯＦＦの状態Ａ、電源ＯＮかつ変調ＯＦＦの状態Ｂ及び電源ＯＮかつ変調ＯＮの状態Ｃのうちの任意の状態Ａ、Ｂ又はＣに切り替えるスイッチである。
【０００７】
このような状態切替用のスイッチＳＷを備えたワイヤレスマイクにおいては、選択切替された状態Ａ、Ｂ又はＣを表示する電源／変調状態インジケータ２９を備えることが少なくない。この電源／変調状態インジケータ２９は、状態インジケータ回路２９ａ、電流制限用の抵抗２９ｂ，２９ｃ及び発光色を異にする２つのＬＥＤ（赤色発光ＬＥＤ２９ｄ１，緑色発光ＬＥＤ２９ｄ２）からなるＬＥＤ対２９ｄを備える。
【０００８】
入力レベルが所定値を超えたこと（過大入力レベル状態）の表示を行うピークインジケータ３０は、ピークインジケータ回路３０ａ及びピーク表示用ＬＥＤ３０ｂからなる。
【０００９】
なお図中３１は、上記電源／変調状態インジケータ２９及びピークインジケータ３０の動作用直流電源で、ここでは９Ｖ電池電源からなる。この直流電源３１は、上記両インジケータ２９，３０の動作用として専用のものではなく、機器主電源に使用されているものである。
【００１０】
すなわち直流電源３１は、電源線を図示省略してあるが、機器各部（２１，２３〜２７等）に各々接続され、それらの動作用電源として設けられたものである。この直流電源３１は、上記切替スイッチＳＷが位置Ｂ〜Ｃにあるとき、その出力がレギュレータ(図示せず)で所定の電圧にされて機器各部に印加され、それらを動作させる。
【００１１】
図２に示す構成において、いま、切替スイッチＳＷが位置Ａに接続されていると、電源／変調状態インジケータ２９には電源供給されず、ＬＥＤ対２９ｄの両ＬＥＤ２９ｄ１，２９ｄ２は消灯状態にあって、電源ＯＦＦの状態Ａを表示する。
【００１２】
この状態Ａから、切替スイッチＳＷが位置Ｂに接続されると、図示しない電源線を介して機器各部に直流電源３１が供給されると共に、電源／変調状態インジケータ２９の状態インジケータ回路２９ａがＬＥＤ対２９ｄのＬＥＤ２９ｄ１のみを導通させて赤色発光させる。
【００１３】
このとき、プリエンファシス回路２５及び変調回路２６相互間は切替スイッチＳＷにより開放状態にあるから、マイク２１に音声入力があってもそれが変調回路２６に達することはなく、したがって変調されず、送信されない。
すなわち、ＬＥＤ２９ｄ１のみの発光（赤色発光）は、電源ＯＮかつ変調ＯＦＦの状態（スタンバイ状態）Ｂの表示となる。
【００１４】
上記スタンバイ状態Ｂから音声をマイク２１に向けて発し、図示しないワイヤレスマイク受信機器側から拡声出力したいときには、切替スイッチＳＷを位置Ｃに接続する。位置Ｃに接続されると、電源／変調状態インジケータ２９の状態インジケータ回路２９ａがＬＥＤ２９ｄ１を非導通にして消灯させると共にＬＥＤ２９ｄ２を導通させて緑色発光させる。
【００１５】
同時に、プリエンファシス回路２５及び変調回路２６相互間が切替スイッチＳＷにより接続状態になるので、マイク１に音声入力があればプリエンファシス回路２５からの音声信号は変調回路２６で変調され、送信される。
すなわち、ＬＥＤ２９ｄ２のみの発光（緑色発光）は、電源ＯＮかつ変調ＯＮの状態（送信状態）Ｃの表示となる。
【００１６】
ここで、マイク２１が直結（固定）式でなく、種々のものが切替接続可能である場合に、接続するマイク２１に応じて入力レベルを変えられるように、また同じマイク２１でも使用する人や使用する場所の違い等により入力レベルを変えられるように、入力調整用可変抵抗２２が設けられている。
このように、入力レベルを可変抵抗２２で変えられるようにすると、入力レベルが所定値を超えて歪を生ずることがある。また、使用者や使用環境等の変化によっても同様に歪を生ずることがある。
【００１７】
そこで、上記ピークインジケータ３０が設けられている。ピークインジケータ回路３０ａは、プリエンファシス回路２５及び変調回路２６相互間が接続状態（状態Ｃ）のときの変調回路２６の入力信号レベルを検出する。そして、その検出レベルが所定値を超えた場合に、その旨を、ピーク表示用ＬＥＤ３０ｂを発光させて表示して入力レベルの調整（減衰）を促す。入力レベルは上記可変抵抗２２の操作やマイク２１に向けて発する音声の大きさを変えること等で調整される。
【００１８】
【発明が解決しようとする課題】
しかしながら上記従来技術では、ピークインジケータ３０のピーク表示用ＬＥＤが専用のＬＥＤ３０ｂであることに起因して次のような問題が生じた。
【００１９】
すなわち、電源／変調状態インジケータ２９を備えたワイヤレスマイクにおいて、新たにピークインジケータ３０（ピーク表示機能）を付加する場合がある。このような場合、機器筐体や操作パネル(図示せず)には、電源／変調状態インジケータ２９のＬＥＤ対２９ｄ（ＬＥＤ２９ｄ１，２９ｄ２）が臨む表示窓穴とは別個に、ピーク表示用ＬＥＤ３０ｂが臨む表示窓穴を新設しなければならない。
【００２０】
このことは、電源／変調状態インジケータ２９を備えた既存のワイヤレスマイク製造工程から見ると、上記筐体等に対する穴加工の変更ないし改造となり、内部回路の変更，改造に比べてコストが増大する。特に、金型の変更や改造を伴うときはコスト増大が顕著になる。
また、ピーク表示用ＬＥＤ３０ｂとして用いられるＬＥＤやそれと同等の発光素子の新設によるコストやスペースの増大も無視できない等の問題があった。
【００２１】
本発明は、上記従来技術の問題を解消するためになされたもので、２つの発光素子を有する電源／変調状態インジケータを備えたものにおいて、新たなピークインジケータ（ピーク表示機能）の付加を、低コスト、省スペースで実現できる無線送信機器を提供することを目的とする。
【００２２】
【課題を解決するための手段】
上記目的を達成するために、請求項１に記載の発明は、音声入力を増幅して変調し、変調出力を増幅した後、無線信号として送信するもので、電源ＯＦＦの状態Ａ、電源ＯＮかつ変調ＯＦＦの状態Ｂ及び電源ＯＮかつ変調ＯＮの状態Ｃのうちの任意の状態Ａ、Ｂ又はＣに切替自在のスイッチと、前記電源ＯＦＦの状態Ａでは第１，第２発光素子を共に消灯させておき、電源ＯＮかつ変調ＯＦＦの状態Ｂでは第１発光素子のみを点灯させてスタンバイ状態を表示し、電源ＯＮかつ変調ＯＮの状態Ｃでは前記第１発光素子を消灯させると共に第２発光素子を点灯させて送信状態を表示する電源／変調状態インジケータと、前記電源ＯＮかつ変調ＯＮの状態Ｃで変調入力レベルが所定値を超えた場合に発光素子を点灯させて過大入力レベル状態を表示するピークインジケータとを備えてなる無線送信機器において、前記ピークインジケータは、前記電源ＯＮかつ変調ＯＮの状態Ｃで変調入力レベルが所定値を超えた場合に、前記第１発光素子を点灯させ、その第１発光素子を、過大入力レベル状態を表示する発光素子として兼用させることを特徴とする。
【００２３】
請求項１に記載の発明では、２つの発光素子を備えている場合、最大４種類の異なる状態表示を行えるのに対して、従来技術では３種類の異なる状態表示のみ行っているに過ぎない点に着目した。つまり従来技術では、２つの発光素子につき、双方消灯、一方のみ点灯及び他方のみ点灯により３種類の状態表示を行っているが、双方点灯を利用した状態表示は行っていない。したがって、この双方点灯を残りの１種類の状態表示に、ここでは過大入力レベル状態の表示（ピーク表示）に利用することとした。
【００２４】
すなわち、電源ＯＮかつ変調ＯＮの状態Ｃ（第２発光素子点灯状態）において、変調入力レベルが所定値を超えた場合、ピークインジケータが、第１発光素子を点灯させ（第１，第２発光素子双方を点灯状態とし）、ピーク表示を行わせつつ、第１発光素子を、過大入力レベル状態を表示する発光素子に兼用させた。
【００２５】
これによれば、新規の発光素子を追加することなく過大入力レベル状態の表示（ピーク表示）が可能となり、コストやスペースの削減が図れる。
すなわち、新規の発光素子の追加がなければ、機器筐体等に、電源／変調状態インジケータの第１，第２発光素子が臨む表示窓穴とは別個に、ピーク表示用発光素子が臨む表示窓穴を新設する必要がなくなる。したがって、上記筐体等への穴加工の変更ないし改造、特に金型の変更や改造の必要はなくなり、コストは低減する。また、発光素子の追加によるコストやスペースの増大もなくなり、全体として低コスト、省スペースで、ピークインジケータ（ピーク表示機能）の付加が実現される。
【００２６】
【発明の実施の形態】
以下、本発明の実施の形態を図面に基づき説明する。
図１は、本発明による無線送信機器の一実施形態を示すブロック図で、ここでは本発明をワイヤレスマイクに適用した場合について例示する。
【００２７】
本発明が適用されたワイヤレスマイクは、ここでは図示するようにマイクロホン２１、入力調整用可変抵抗２２、ＡＦアンプ（可聴周波増幅器）２３、コンプレッサ回路２４、プリエンファシス回路２５、変調回路２６、ＲＦアンプ（ラジオ周波増幅器）２７、アンテナ２８、切替スイッチＳＷ、電源／変調状態インジケータ２９、ピークインジケータ３０及び直流電源３１を備えてなる。
【００２８】
この場合、マイクロホン２１は音声を電気信号に変換する変換器、入力調整用可変抵抗２２はマイクロホン２１からの音声信号をＡＦアンプ２３に与える際にそのレベル（音声入力レベル）を調整する可変抵抗である。
この可変抵抗２２は、種々のマイク２１が切替接続可能である場合に、接続するマイク２１に応じて入力レベルを変えられるように、また同じマイク２１でも使用する人や使用する場所の違い等により入力レベルを変えられるように設けられている。
【００２９】
また、ＡＦアンプ２３は音声入力信号（低周波信号）を増幅する増幅器、コンプレッサ回路２４はＡＦアンプ２３の出力信号のダイナミックレンジを圧縮する回路、プリエンファシス回路２５はコンプレッサ回路２４からの圧縮出力に対して高域強調を行う回路である。
【００３０】
変調回路２６はプリエンファシス回路２５からの出力信号を変調する回路である。ＲＦアンプ２７は変調回路２６からの高周波信号を増幅する増幅器、アンテナ２８はＲＦアンプ２７からの増幅された高周波信号を空間に放射（無線信号として送信）するものである
【００３１】
切替スイッチＳＷは、電源ＯＦＦの状態Ａ、電源ＯＮかつ変調ＯＦＦの状態Ｂ及び電源ＯＮかつ変調ＯＮの状態Ｃのうちの任意の状態Ａ、Ｂ又はＣに切り替えるスイッチである。
切替スイッチＳＷは、ここでは各々１つの可動接点ｍ及び３つの固定接点ｃ１〜ｃ３を有し、両可動接点ｍ，ｍが連動するスイッチＳＷ１，ＳＷ２からなる、いわゆる２回路３接点の連動式切替スイッチが用いられている。
【００３２】
この場合、スイッチＳＷ１は、可動接点ｍがプリエンファシス回路２５の出力端に、固定接点ｃ３が変調回路２６の入力端に各々接続され、固定接点ｃ１，ｃ２が共に接地されている。またスイッチＳＷ２は、可動接点ｍが直流電源３１の正極に接続され、固定接点ｃ２，ｃ３が電源／変調状態インジケータ２９（後述状態インジケータ回路２９ａ）の２つの入力端に各別に接続されている。スイッチＳＷ２の固定接点ｃ１は開放されている。
【００３３】
電源／変調状態インジケータ２９は、上記切替スイッチＳＷで選択切替された状態Ａ、Ｂ又はＣを表示するインジケータである。この電源／変調状態インジケータ２９は、状態インジケータ回路２９ａ、電流制限用の抵抗２９ｂ，２９ｃ及び発光色を異にする２つのＬＥＤ（赤色発光ＬＥＤ２９ｄ１，緑色発光ＬＥＤ２９ｄ２）からなるＬＥＤ対２９ｄを備える。
【００３４】
この場合、状態インジケータ回路２９ａは２つの出力端を有し、そのうちの一方は抵抗２９ｂ及び順方向のＬＥＤ２９ｄ１を順に介して接地され、他方は抵抗２９ｃ及び順方向のＬＥＤ２９ｄ２を順に介して接地されている。
なおＬＥＤ対２９ｄは、ここでは図示しない機器筐体あるいは操作パネル等に明けられた共通（１つ）の表示窓穴(図示せず)に臨ませてある。
【００３５】
上記ピークインジケータ３０は、入力レベルが所定値を超えたこと（過大入力レベル状態）の表示を行うインジケータである。ピークインジケータ３０は、ここではピークインジケータ回路３０ｃ及び逆流阻止用ダイオード３０ｄを備えてなり、また、電源／変調状態インジケータ２９のＬＥＤ２９ｄ１がピーク表示用ＬＥＤに兼用され、ピークインジケータ３０の一部を構成する。
【００３６】
この場合、ピークインジケータ回路３０ｃは、入力端が変調回路２６の入力端に、出力端が順方向（状態インジケータ回路２９ａの上記一方の出力端から見ると逆方向）の逆流阻止用ダイオード３０ｄを介して上記ＬＥＤ２９ｄ１のアノードに接続されている。
【００３７】
また直流電源３１は、上記電源／変調状態インジケータ２９の動作用電源で、ここでは９Ｖ電池電源からなる。この直流電源３１は、電源／変調状態インジケータ２９の動作用として専用のものではなく、機器主電源に使用されているものである。
【００３８】
すなわち直流電源３１は、電源線を図示省略してあるが、機器各部（２１，２３〜２７，３０等）に各々接続され、それらの動作用電源として設けられたものである。この直流電源３１は、上記切替スイッチＳＷが位置Ｂ〜Ｃにあるとき、その出力がレギュレータ(図示せず)で所定の電圧にされて機器各部に印加され、それらを動作させる。なお直流電源３１は、図示するようにここでは負極接地である。
【００３９】
図１に示す構成において、いま、切替スイッチＳＷ（スイッチＳＷ１，ＳＷ２）が位置Ａに接続、すなわち可動接点ｍ，ｍが固定接点ｃ１，ｃ１に接続されていると、電源／変調状態インジケータ２９には電源供給されず、ＬＥＤ対２９ｄの両ＬＥＤ２９ｄ１，２９ｄ２は消灯状態にあって、電源ＯＦＦの状態Ａを表示する。
【００４０】
この状態Ａから、切替スイッチＳＷが位置Ｂに切替接続、すなわち可動接点ｍ，ｍが固定接点ｃ２，ｃ２に切替接続されると、図示しない電源線を介して機器各部に直流電源３１が供給されると共に、電源／変調状態インジケータ２９の状態インジケータ回路２９ａがＬＥＤ対２９ｄのＬＥＤ２９ｄ１のみを導通させて赤色発光させる。
【００４１】
このとき、プリエンファシス回路２５及び変調回路２６相互間は切替スイッチＳＷにより（スイッチＳＷ１の可動接点ｍ及び固定接点ｃ３間の開路により）開放状態にあるから、マイク２１に音声入力があってもそれが変調回路２６に達することはなく、したがって変調されず、送信されない。
すなわち、ＬＥＤ２９ｄ１のみの発光（赤色発光）は、電源ＯＮかつ変調ＯＦＦの状態（スタンバイ状態）Ｂの表示となる。
【００４２】
上記スタンバイ状態から音声をマイク２１に向けて発し、図示しないワイヤレスマイク受信機器側から拡声出力したいときには、切替スイッチＳＷを位置Ｃに切替接続、すなわち可動接点ｍ，ｍを固定接点ｃ３，ｃ３に切替接続する。位置Ｃに切替接続されると、電源／変調状態インジケータ２９の状態インジケータ回路２９ａがＬＥＤ２９ｄ１を非導通にして消灯させると共にＬＥＤ２９ｄ２を導通させて緑色発光させる。
【００４３】
同時に、プリエンファシス回路２５及び変調回路２６相互間が切替スイッチＳＷにより（スイッチＳＷ１の可動接点ｍ及び固定接点ｃ３間の閉路により）接続状態になるので、マイク１に音声入力があればプリエンファシス回路２５からの音声信号は変調回路２６で変調され、送信される。
すなわち、ＬＥＤ２９ｄ２のみの発光（緑色発光）は、電源ＯＮかつ変調ＯＮの状態（送信状態）Ｃの表示となる。
【００４４】
次にピークインジケータ３０の動作について説明する。
入力レベルを可変抵抗２２で変えられるようにすると、入力レベルが所定値を超えて歪を生ずることがある。また、使用者や使用環境等の変化によっても同様に歪を生ずることがある。ピークインジケータ３０は、主としてこのような歪の発生を防止するために設けられたもので、入力レベルが所定値を超えた場合に、その旨（過大入力レベル状態)を表示する。
【００４５】
すなわち、ピークインジケータ回路３０ａは、プリエンファシス回路２５及び変調回路２６相互間が接続状態（状態Ｃ）のときの変調回路２６の入力信号レベルを検出する。そしてその検出レベルが、上記歪を発生させることのない、例えば上限値として予め設定された基準レベル(所定値)と比較し、基準レベルを超えた場合にダイオード３０ｄを介してＬＥＤ２９ｄ１に順バイアスを与える。
【００４６】
このとき、ＬＥＤ２９ｄ１は消灯状態にあるから、上記のように順バイアスされることでＬＥＤ２９ｄ１は導通し、点灯するもので、既に点灯状態にあるＬＥＤ２９ｄ２との双方点灯となり、過大入力レベル状態の表示（ピーク表示）が行われる。
【００４７】
ここでは、赤色発光と緑色発光の２つのＬＥＤ２９ｄ１，２９ｄ２が対となったＬＥＤ対２９ｄが用いられており、このＬＥＤ対２９ｄが共通（１つ）の表示窓穴(図示せず)に臨ませた構成であるので、ピーク表示は上記共通表示窓穴からの赤色及び緑色の混合色である黄色ないし橙色の発光（点灯）により行われる。これにより、入力レベルの調整（減衰）が促される。入力レベルは上記可変抵抗２２の操作やマイク２１に向けて発する音声の大きさを変えること等で調整される。
【００４８】
なお、上述したように、電源ＯＮかつ変調ＯＦＦの状態ＢのときはＬＥＤ２９ｄ１のみの点灯（赤色発光）であり、電源ＯＮかつ変調ＯＮの状態ＣのときはＬＥＤ２９ｄ２のみの点灯（緑色発光）である。したがって、上記共通表示窓穴からの赤色発光によってはスタンバイ状態が、同緑色発光によっては送信状態が、各々表示される。ＬＥＤ２９ｄ１，２９ｄ２双方の消灯は電源ＯＦＦの状態Ａの表示となる。
【００４９】
なお上述実施形態では、状態Ａ〜Ｃの表示及び状態Ｃにおける過大入力レベル状態の表示を、発光色を異にする２つのＬＥＤ２９ｄ１，２９ｄ２からなるＬＥＤ対２９ｄを用いて行う場合について述べたが、これのみに限られない。
例えば、同一発光色で別個独立のＬＥＤを２つ用いても同様の表示が可能である。この場合は、各ＬＥＤが臨む別個の、つまり２つの表示窓穴が設けられ、２つのＬＥＤ（表示窓穴）につき、双方消灯で状態Ａの表示が、一方のみの点灯で状態Ｂの表示が、他方のみの点灯で状態Ｃの表示が、各々行われ、また、双方点灯で状態Ｃにおける過大入力レベル状態の表示が行われる。このように、２つの表示窓穴が設けられる構成でありながら、２つのＬＥＤの発光色を相違させてもよい。
いずれの形態にあっても、本発明によれば、新たなピークインジケータ（ピーク表示機能）の付加に際して、新規のＬＥＤや表示窓穴等を追加する必要はなく、コストやスペースの削減が図れる。
【００５０】
また上述実施形態では、過大入力レベル状態の表示に兼用される発光素子、換言すれば電源／変調状態インジケータが備える発光素子としてＬＥＤを用いた場合について述べたが、これのみに限定されることはない。電源のＯＮ／ＯＦＦにより点消灯する素子であればそのいずれでもよい。
状態Ａ、Ｂ又はＣに切り替えるスイッチも、図１に示した２回路３接点の連動式切替スイッチのみに限定されることはない。
【００５１】
更に上述実施形態では、無線送信機器としてワイヤレスマイクを例に採って説明したが、その他、トランシーバ等、少なくとも音声信号の無線送信機能を有する機器であればそのいずれにも本発明を適用でき、上述実施形態と同様の効果が得られる。
【００５２】
【発明の効果】
以上述べたように本発明によれば、電源ＯＦＦの状態Ａ、電源ＯＮかつ変調ＯＦＦの状態（スタンバイ状態）Ｂ及び電源ＯＮかつ変調ＯＮの状態（送信状態）Ｃを２つの発光素子で表示する電源／変調状態インジケータを備えた無線送信機器において、ピーク表示を行うピークインジケータの構成に必要な発光素子として、既存の発光素子である上記電源／変調状態インジケータの発光素子を兼用させるようにしたので、ピークインジケータの付加を、低コスト、省スペースで実現できるという効果がある。
【図面の簡単な説明】
【図１】本発明が適用されたワイヤレスマイクの一実施形態を示すブロック図である。
【図２】従来のワイヤレスマイクを示すブロック図である。
【符号の説明】
２１  マイクロホン
２３  ＡＦアンプ
２６  変調回路
２７  ＲＦアンプ
２９  電源／変調状態インジケータ
３０  ピークインジケータ
ＳＷ  切替スイッチ
２９ｄ１  ＬＥＤ（第１発光素子）
２９ｄ２  ＬＥＤ（第２発光素子）
【図１】
0004406857.tif 000002
【図２】
0004406857.tif 000003